(57)【要約】【課題】本発明はカラー陰極線管に係り、ティントまたはダークティントガラスパネルを用いる陰極線管においてガラス透過率差による画面の中央部対比周辺部の輝度バランスが悪くなる問題点を解決して、コントラストを向上させる。【解決手段】本発明による陰極線管は、外面が実質的に平面であって内面は所定の曲率を有して、内面には蛍光膜が形成されたパネルと、パネル内面に所定の間隔で離隔されて複数の電子ビーム通過孔が形成されたシャドーマスクが含まれる陰極線管において、パネルの中央部透過率は４０〜７５％であって周辺部透過率Ｔｄ対比中央部透過率Ｔｃの比Ｔｃ／Ｔｄは１．４〜２．２であり、シャドーマスクの中央部透過率Ｔｍｃと周辺部の透過率Ｔｍｄとの比であるＴｍｄ／Ｔｍｃは０．８５≦Ｔｍｄ／Ｔｍｃ≦１．００であることを特徴とする。【選択図】　　　図３
2004031309.tif 000002
【特許請求の範囲】
【請求項１】
外面が実質的に平面であって内面は所定の曲率を有して、前記内面には蛍光膜が形成されたパネルと、前記パネル内面に所定の間隔で離隔されて複数の電子ビーム通過孔が形成されたシャドーマスクが含まれる陰極線管において、
前記パネルの中央部透過率は４０〜７５％であって、周辺部透過率（Ｔｄ）対比中央部透過率（Ｔｃ）の比Ｔｃ／Ｔｄは１．４〜２．２であり、前記シャドーマスクの中央部透過率（Ｔｍｃ）と周辺部の透過率（Ｔｍｄ）との比であるＴｍｄ／Ｔｍｃは０．８５≦Ｔｍｄ／Ｔｍｃ≦１．００であることを特徴とする陰極線管。
【請求項２】
前記シャドーマスクの周辺部の透過率（Ｔｍｄ）は、Ｔｍｄ≧１７％であることを特徴とする請求項１に記載の陰極線管。
【請求項３】
前記シャドーマスクの周辺部の電子ビーム通過孔間の垂直軸方向への間隔をＢｒｄとし、垂直軸方向の垂直ピッチをＰｖｄとするとき、時周辺部垂直軸方向の垂直ピッチ（Ｐｖｄ）と周辺部の電子ビーム通過孔間の垂直軸方向への間隔（Ｂｒｄ）の比Ｂｒｄ／Ｐｖｄは０．１６≦Ｂｒｄ／Ｐｖｄ≦０．２３であることを特徴とする請求項１に記載の陰極線管。
【請求項４】
前記周辺部の電子ビーム通過孔間の垂直軸方向への間隔（Ｂｒｄ）は０．１０ｍｍ≦Ｂｒｄ≦０．１４ｍｍであることを特徴とする請求項３に記載の陰極線管。
【請求項５】
前記シャドーマスクの周辺部の水平ピッチをＰｈｄとし、電子ビーム通過孔のスロット幅をＳｗｄとするとき、０．２２１３×Ｐｈｄ≦Ｓｗｄ≦０．２４５９×Ｐｈｄであることを特徴とする請求項１に記載の陰極線管。
【請求項６】
前記シャドーマスクの中央部の電子ビーム通過孔のスロット幅をＳｗｃとし、周辺部の電子ビーム通過孔のスロット幅をＳｗｄとするとき、中央部の電子ビーム通過孔のスロット幅（Ｓｗｃ）と周辺部の電子ビーム通過孔のスロット幅（Ｓｗｄ）の比Ｓｗｄ／Ｓｗｃは１．３≦Ｓｗｄ／Ｓｗｃ≦１．５であることを特徴とする請求項１に記載の陰極線管。
【請求項７】
前記シャドーマスクの厚さをＴとし、中央部の電子ビーム通過孔のスロット幅をＳｗｃとするとき、シャドーマスクの厚さ（Ｔ）と中央部の電子ビーム通過孔のスロット幅（Ｓｗｃ）の比Ｓｗｃ／Ｔは０．７≦Ｓｗｃ／Ｔ≦０．７９であることを特徴とする請求項１に記載の陰極線管。
【請求項８】
外面が実質的に平面であって内面は所定の曲率を有して、前記内面には蛍光膜が形成されたパネルと、前記パネル内面に所定の間隔で離隔されて複数の電子ビーム通過孔が形成されたシャドーマスクが含まれる陰極線管において、
前記パネルの中央部透過率は４０〜７５％であって、周辺部透過率（Ｔｄ）対比中央部透過率（Ｔｃ）の比Ｔｃ／Ｔｄは１．４〜２．２であるパネルと、前記シャドーマスクの周辺部の透過率（Ｔｍｄ）はＴｍｄ≧１７％であって、中央部透過率（Ｔｍｃ）と周辺部の透過率（Ｔｍｄ）との比であるＴｍｄ／Ｔｍｃは０．８５≦Ｔｍｄ／Ｔｍｃ≦１．００であることを特徴とする陰極線管。
【請求項９】
内面には蛍光膜が形成されたパネルと前記パネル内面に所定の間隔で離隔されて複数の電子ビーム通過孔が形成されたシャドーマスクが含まれる陰極線管において、
前記パネルの中央部透過率は４０〜７５％であって周辺部透過率（Ｔｄ）対比中央部透過率（Ｔｃ）の比Ｔｃ／Ｔｄは１．４〜２．２であり、前記シャドーマスクの中央部透過率（Ｔｍｃ）と周辺部の透過率（Ｔｍｄ）との比であるＴｍｄ／Ｔｍｃは０．８５≦Ｔｍｄ／Ｔｍｃ≦１．００であることを特徴とする陰極線管。
【発明の詳細な説明】
【０００１】
【発明の属する技術分野】
本発明はカラー陰極線管に係り、さらに詳細にはティントまたはダークティントガラスパネルを用いる陰極線管においてガラス透過率差による画面の中央部対比周辺部の輝度バランスが悪くなる問題を解決するための最適の透過率を有した陰極線管に関する。
【０００２】
【従来の技術】
図１は、従来の平面形カラー陰極線管の構成を説明する図面である。
図１を参照すると、従来の平面形カラー陰極線管は、前面ガラスであるパネル１と、前記パネル１と結合される後面ガラスであるファンネル２が結合されて密封されてその内部が真空状態で維持されて一つの真空管をなす。
前記パネル１の内面には蛍光体面４が形成されて前記蛍光体面４に対向するファンネル２のネック部分には電子銃１３が設けられる。
【０００３】
前記蛍光体面４と電子銃１３間には蛍光体面４と所定の間隔で色選別作用をするシャドーマスク７が所定の間隔を置いて設けられ、前記シャドーマスク７はマスクフレーム３と結合されて、スプリング８で弾性支持されてスタッドピン１２で前記パネル１に支持される。
そして、前記マスクフレーム３は、外部磁界による電子ビーム６の移動を減らすために磁性体で作られたインナーシールド９と結合されてブラウン管後方からの地磁界の影響を減らしている。
【０００４】
一方、前記ファンネル２のネック部分には電子銃１３から放出された電子ビーム６が一点で収斂されるようにＲ、Ｇ、Ｂ電子ビームを調整するためのコンバージェンス純度補正用マグネットＣＰＭ　１０が設けられていて、電子ビーム６の偏向のための偏向ヨーク５が設けられる。
また、内部の真空状態による前面ガラスの強化のために補強バンド１１が設けられる。
【０００５】
前記したように構成された平面形カラー陰極線管の作動を説明すると、電子銃１３から放出された電子ビーム６は偏向ヨーク５によって垂直及び水平方向に偏向されて、偏向された電子ビーム６はシャドーマスク７のビーム通過孔を通過して前面の蛍光体面４を打撃することによって所望する所定のカラー画像をディスプレーする。
ここで、コンバージェンス純度補正用マグネット１０は、Ｒ、Ｇ、Ｂ電子ビーム６のコンバージェンスと純度を補正して、インナーシールド９は陰極線管後方からの地磁界の影響を遮蔽する。
【０００６】
図２は、シャドーマスクの構造を説明する図面である。
図１と図２を参照して説明すると、シャドーマスク７はパネル１の内面から所定の間隔を維持しながらドーム状で設けられる。
前記シャドーマスク７は、中央部分にドットまたはストライプ状の電子ビーム通過孔であるスロット３４が複数形成されている有効面部３１と、前記有効面部３１を囲んでいてスロット３４が形成されない非有効面部３２と、前記非有効面部３２の最外郭部分で前記非有効面部３２と垂直方向に折り曲げられているマスクスカート３３とで構成される。
前記マスクスカート３３にはフレーム３が熔接されて固定される。
【０００７】
また、前記シャドーマスク７は、その厚さが０．１〜０．３ｍｍ程度であって、シャドーマスク７の有効面部３１には電子ビーム６が通過する穴として複数のスロット３４が所定の配列で形成されるが、垂直及び水平方向にドットやストライプ状の穴が所定のピッチを有しながら複数列で配列される。
このような平面形カラー陰極線管は、ファンネル２の端に装着された電子銃１３から電子ビーム６が放出されて、ファンネル２の外部に装着された偏向ヨーク５によって上、下、左、右に偏向された後、複数の通過孔を有して色選別機能をするシャドーマスク７を通過してパネル１の内面に形成された所定の蛍光体面４を打撃して発光させることによって画像が再現されるようにする。
【０００８】
このとき、画像の明るさ暗さは、前記シャドーマスク７に形成されたストライプ状の穴であるスロット３４を通過する電子ビーム６の量と前記電子ビーム６によるパネル１内面に形成された蛍光体面４の発光程度によって大きく左右される。
前記電子ビーム６は、前記シャドーマスク７の電子ビーム通過孔であるスロット３４を通過するが、このときの透過率は大体１４〜２０％である。そして、シャドーマスク７を通過した電子ビーム６の打撃により蛍光体面４で発光した光が、パネル１の内面に塗布された蛍光体面４を通過する透過率は４５〜６０％である。
最後に所定の厚さを有するパネル１を通過して映像が示される。
【０００９】
従来のカラー陰極線管のパネル１で中央部透過率が７５％以上であるクリアガラスを用いる場合には、コーティング層を含めた最終的な中央部透過率は大体５４％であって周辺部透過率が４７％である。
一方パネルをティントガラスやダークティントガラスを用いる場合画面の鮮明度を示すコントラスト特性は向上されるが、周辺部透過率が急激に落ちて中央部対比周辺部の輝度バランスが悪くなる問題点がある。
すなわち、クリアガラスの場合には最終的な中央部透過率は大体５４％となって周辺部透過率は４７％となるが、ティントガラスの場合には中央部透過率は５４％となって周辺部透過率は３５％程度となり、ティントガラスがクリアガラスを用いる時より周辺部透過率が急激に落ちて中央対比周辺の輝度バランスが悪くなる問題点がある。
【００１０】
このような問題点を解決するために所定の厚さを有するパネル１による透過率を改善するためにパネル１の厚さを減らす方法が研究された。
パネル１の形状を見れば外面はほとんど平面でありながら内面は中央部が最も薄くて周辺部へ行くほど厚くなる一種のドーム状をなしており、ここで厚さを減らすことは前記パネル１の内面のドーム状を平らに伸ばすことである。
【００１１】
しかし、パネル１の内面を平らにするならばパネル１の内面と類似なドーム状の曲率を有するシャドーマスク７の形状もやはり平たくしなければならない。
シャドーマスク７が平らになればシャドーマスク７の構造的な強度特性が脆弱になってこれによる諸般問題が発生するが、ハウリング現象が代表的である。
また、構造的強度弱化によって小さい衝撃や衝突による曲率変形がさらに容易に起こり画面歪曲現象が発生する問題点がある。
【００１２】
【発明が解決しようとする課題】
本発明はカラー陰極線管に係り、さらに詳細にはティントまたはダークティントガラスパネルを用いる陰極線管においてガラス透過率差による画面の中央部対比周辺部の輝度バランスが悪くなる問題を解決するための最適の透過率を有した陰極線管に関する。
【００１３】
【課題を解決するための手段】
本発明は前記した目的を達成するために外面が実質的に平面であって内面は所定の曲率を有して、前記内面には蛍光膜が形成されたパネルと、前記パネル内面に所定の間隔で離隔されて複数の電子ビーム通過孔が形成されたシャドーマスクが含まれる陰極線管において、前記パネルの中央部透過率は４０〜７５％であって周辺部透過率Ｔｄ対比中央部透過率Ｔｃの比Ｔｃ／Ｔｄは１．４〜２．２であり、前記シャドーマスクの中央部透過率Ｔｍｃと周辺部の透過率Ｔｍｄとの比であるＴｍｄ／Ｔｍｃは０．８５≦Ｔｍｄ／Ｔｍｃ≦１．００であることを特徴とする陰極線管。
【００１４】
【発明の実施の形態】
本発明は外面が実質的に平面であって内面は所定の曲率を有して、前記内面には蛍光膜が形成されたパネルと、前記パネル内面に所定の間隔で離隔されて複数の電子ビーム通過孔が形成されたシャドーマスクが含まれる陰極線管において、前記パネルの中央部透過率は４０〜７５％であって周辺部透過率Ｔｄ対比中央部透過率Ｔｃの比Ｔｃ／Ｔｄは１．４〜２．２であり、前記シャドーマスクの中央部透過率Ｔｍｃと周辺部の透過率Ｔｍｄとの比であるＴｍｄ／Ｔｍｃは０．８５≦Ｔｍｄ／Ｔｍｃ≦１．００であることを特徴とする。
【００１５】
以下、添付された図面と図表を参照して本発明による陰極線管に対して詳細に説明する。
電子銃から放出された電子ビームは、シャドーマスクに形成されたスロットを通過してパネル内面に形成された蛍光体面を打撃し、このとき発生する光がティントガラスであるパネルを通過して映像が表現される。
【００１６】
前記ティントガラスパネルは、中央部透過率が４０〜７５％であり周辺部透過率Ｔｄ対比中央部透過率Ｔｃの比Ｔｃ／Ｔｄが１．４〜２．２であるパネルであって、画面の鮮明度を示すコントラスト特性が良い。
前記電子銃から放出された電子ビームは、大体１４〜２０％程度だけシャドーマスクのスロットを通過するようになるが、シャドーマスクの位置によってスロットの大きさが異なってそれによってシャドーマスクのスロットを通過する電子ビームの透過率Ｔｍも変わるようになる。
【００１７】
図３は、本発明による陰極線管を説明するためのシャドーマスクのスロットの拡大図である。
シャドーマスクのスロット３４は、電子銃から放出された電子ビームが入射される入射側とシャドーマスクを通過してスクリーンに向かう出射側に区分されるがスロット３４の大きさは入射側が出射側より小さいことが一般的である。
本発明で説明するシャドーマスクのスロット３４は、電子ビームの入射側方向を意味する。
【００１８】
図３を参照すると、スロット３４は水平方向の幅Ｓｗと垂直方向の高さＳｌでなされた長方形である。
また、垂直方向のスロット３４とスロット３４間にはブリッジＢｒが形成され、垂直方向にスロット３４とスロット３４間の距離を垂直ピッチＰｖ、水平方向へのスロット３４とスロット３４間の距離を水平ピッチＰｈということとする。シャドーマスクの透過率を決定するのは、前記水平ピッチＰｈとスロット幅Ｓｗ、垂直ピッチＰｖ、ブリッジＢｒである。
【００１９】
すなわち、シャドーマスクの透過率Ｔｍは、下記の式（１）のとおりである。
【数１】
2004031309.tif 000003
シャドーマスクの透過率
式（１）で見れば、透過率は概略的にスロットの面積／シャドーマスクの有効面的で計算されうる。
【００２０】
表１は、シャドーマスクの中央部透過率Ｔｍｃと周辺部透過率Ｔｍｄを説明する図表である。
ここで周辺部というものは図２のようにシャドーマスクの有効面対角端部の領域をいう。
【表１】
2004031309.tif 000004
【００２１】
表１で見るように従来の平面形陰極線管で採用されたシャドーマスクの透過率を見れば中央部の透過率Ｔｍｃと周辺部の透過率Ｔｍｄの比であるＴｍｄ／Ｔｍｃが０．８２〜０．８３水準である。
【００２２】
しかし、ティントガラスパネルを用いた平面形陰極線管のシャドーマスクの透過率Ｔｍｄ／Ｔｍｃは０．９７〜１．００の水準とすることにより、従来より周辺部透過率を高く用いることによって周辺部の輝度を改善することができる。
すなわち、０．８５≦Ｔｍｄ／Ｔｍｃ≦１．００の条件が満足できるようにすることによってシャドーマスクの周辺部の輝度が改善されるようにする。
【００２３】
例えば、シャドーマスク周辺部における水平ピッチＰｈｄを１．０５７ｍｍ、垂直ピッチＰｖｄを０．７２０ｍｍ、スロット幅Ｓｗｄを０．２４５ｍｍ、ブリッジＢｒｄを０．１４９ｍｍにする場合にＴｍｄ＝０．２４５×（０．７２０−０．１４９）／（０．７２０×１．０５７）×１００＝１８．４％になる。
そして、シャドーマスク中央部における水平ピッチ（Ｐｈｃ）を０．７７０ｍｍ、垂直ピッチ（Ｐｖｃ）を０．７２０ｍｍ、スロット幅Ｓｗｃを０．１７６ｍｍ、ブリッジ（Ｂｒｃ）を０．１２０ｍｍにする場合に中央部の透過率Ｔｍｃ＝０．１７６×（０．７２０−０．１２０）／（０．７２０×０．７７０）×１００＝１９．０％になる。
したがって、中央部透過率対比周辺部透過率の比Ｔｍｄ／Ｔｍｃは０．９６５になる。
【００２４】
このとき、ティント用シャドーマスクの周辺部透過率Ｔｍｄは、従来の平面形陰極線管シャドーマスクの周辺部透過率より同じか大きいことが望ましい。
すなわち、ティント用シャドーマスクの周辺部透過率はＴｍｄ≧１７％であることが望ましい。
図３で見るようにシャドーマスクの透過率を高めるためには垂直ピッチＰｖ対比ブリッジＢｒの比率Ｂｒ／Ｐｖが小さいほどシャドーマスクの透過率が高まるようになる。
【００２５】
表２は、周辺部のブリッジと垂直ピッチを説明する図表である。
【表２】
2004031309.tif 000005
表２で見るように従来の周辺部における垂直ピッチＰｖｄ対比ブリッジＢｒｄの比率（Ｂｒｄ／Ｐｖｄ）は０．２４〜０．２５であって、シャドーマスクの透過率を高めるには、０．２４よりも小さくする必要がある。
【００２６】
しかし、周辺部における垂直ピッチＰｖｄ対比ブリッジＢｒｄの比率（Ｂｒｄ／Ｐｖｄ）が０．１５より小さい場合には一般的に適用されている垂直ピッチＰｖｄである０．６００ｍｍでブリッジＢｒｄの大きさが０．０９０ｍｍになる。
【００２７】
前記のようにブリッジＢｒｄの大きさが０．０９０ｍｍになる場合にはシャドーマスクを成形する過程でブリッジＢｒｄがあまりに小さくて破れる不良が発生する問題点がある。
したがって、周辺部における垂直ピッチＰｖｄ対比ブリッジＢｒｄの比率Ｂｒｄ／Ｐｖｄは０．１６≦Ｂｒｄ／Ｐｖｄ≦０．２３であることが望ましい。
また、シャドーマスクのブリッジＢｒｄは、前記のとおり０．０９０ｍｍより大きい必要があり、周辺部のシャドーマスク透過率を高めるには従来の０．１４２ｍｍより小さくする必要がある。
したがって、ブリッジＢｒｄの大きさは０．１０ｍｍ≦Ｂｒｄ≦０．１４ｍｍであることが望ましい。
【００２８】
一方、垂直ピッチＰｖｄとブリッジＢｒｄ外にシャドーマスクの透過率を決定することは水平ピッチＰｈｄとスロット幅Ｓｗｄである。
ティントガラスパネルを用いる陰極線管のシャドーマスクのスロット幅Ｓｗｄは下記の式（２）で決定される。
【数２】
2004031309.tif 000006
【００２９】
前記数学式２をさらに詳細に説明すると、Ａは特定の定数であって図４のパネルの内面に塗布されている蛍光体のＲ、Ｇ、Ｂと各々の隣接している黒鉛帯３本で構成されたスクリーンの水平ピッチＰとシャドーマスクスロットのピッチＰｈとの比率であって周辺部の場合には大体１．１７５程度の値を有する。
Ｂも特定の定数であって図４のシャドーマスクの電子ビーム通過孔であるスロットを通過した電子ビームの大きさＢｓとシャドーマスクのスロット幅Ｓｗとの比率Ｂｓ／Ｓｗであって周辺部の場合には大体１．５９３程度の値を有する。
したがって、本発明のシャドーマスクの周辺部のスロット幅Ｓｗｄは、前記シャドーマスク周辺部の水平ピッチＰｈｄと次の式（３）の関係を有する。
Ｐｈｄ×０．２２１３≦Ｓｗｄ≦Ｐｈｄ×０．２４５９　　　　（３）
【００３０】
前記数学式３で見るように周辺部のスロット幅Ｓｗｄは、周辺部の水平ピッチＰｈｄに０．２２１３を乗じた値以上である必要があり、０．２４５９を乗じた値以下である必要がある。
もしも、水平ピッチがＰｈｄ＝１．０４０ｍｍであって、スロット幅Ｓｗｄ＝０．２２０ｍｍのように周辺部のスロット幅Ｓｗｄが水平ピッチＰｈｄに０．２２１３を乗じた値より小さい場合には前記スロット幅Ｓｗｄ＝０．２２０ｍｍを通過した電子ビームの大きさは大体０．３５０ｍｍ（＝０．２２０×１．５９３）になる。
このとき、スクリーン上の水平ピッチＰは、大体１．２２０ｍｍ（＝１．０４０×１．１７５）であるが、スクリーン上の水平ピッチＰにおいて電子ビームが占める大きさが小さくなり電子ビームがＲ、Ｇ、Ｂの蛍光体の正確な位置を打撃しなければ明るさが急激に落ちる問題点が生じる。
【００３１】
反面、スロット幅Ｓｗｄが水平ピッチＰｈｄに０．２４５９を乗じた値より大きい場合に前記スロット幅（Ｓｗｄ＝０．２７５ｍｍ）を通過した電子ビームの大きさは大体０．４３８ｍｍ（＝０．２７５×１．５９３）になって前記スクリーンの水平ピッチＰである１．２２０ｍｍの１／３になる値０．４０７ｍｍより大きくなる。
このとき、電子ビームがＲ、Ｇ、Ｂ蛍光体の正確な位置を打撃できない場合には他の蛍光体を打撃して色純度不良が発生する問題点が生じる。
したがって、スロット幅は、前記数学式３を満足することが望ましい。
【００３２】
表３は、シャドーマスクの中央部のスロット幅Ｓｗｃと周辺部のスロット幅Ｓｗｄの比を説明する図表である。
【表３】
2004031309.tif 000007
シャドーマスクの周辺部で高い透過率を出すためにはＳｗｄ／Ｓｗｃが従来の１．１３〜１．２４より高い１．３以上である必要があり、一方、Ｓｗｄ／Ｓｗｃが１．６より大きい場合にシャドーマスクのスロット形成に必要な最小大きさのスロット幅Ｓｗｃは０．１７５ｍｍであるため、Ｓｗｄが０．２８０ｍｍ以上になりシャドーマスクのスロットを通過した電子ビームの大きさがあまりに大きくて色純度品質が悪くなる問題点がある。
したがって、Ｓｗｄ／Ｓｗｃは、１．３≦Ｓｗｄ／Ｓｗｃ≦１．５であることが望ましい。
【００３３】
また、前記シャドーマスクの厚さＴは、０．２２〜０．２５ｍｍであって、シャドーマスクのスロット形成に必要な最小大きさのスロット幅Ｓｗｃは０．１７５ｍｍであるので、シャドーマスクの厚さが０．２２ｍｍである場合にＳｗｃ／Ｔ＝０．１７５／０．２２＝０．７９であって、シャドーマスクの厚さが０．２５ｍｍである場合にＳｗｃ／Ｔ＝０．１７５／０．２５＝０．７になる。すなわち、Ｓｗｃ／Ｔは０．７〜０．７９になる。
シャドーマスクの厚さＴに比べてＳｗｃが小さくてＳｗｃ／Ｔが０．７より小さい場合にはエッチングによるスロット形成が難しくて、Ｓｗｃ／Ｔが０．７９より大きい場合にはシャドーマスクの構造的強度が脆弱になる。
したがって、Ｓｗｃ／Ｔは０．７≦Ｓｗｃ／Ｔ≦０．７９であることが望ましい。
【００３４】
表４は、ティント用シャドーマスクの一実施例である。
【表４】
2004031309.tif 000008
表４を参照すると、シャドーマスク透過率は数学式１によって中央部の透過率Ｔｍｃは１９．０％であって、周辺部の透過率Ｔｍｄは１８．４％であるので、周辺部の透過率は１８．４％でＴｍｄ≧１７％を満足する。
【００３５】
また、Ｔｍｄ／Ｔｍｃは、０．９６５で０．８０≦Ｔｍｄ／Ｔｍｃを満足する。また、周辺部の垂直ピッチＰｖｄが０．７２０ｍｍであって、ブリッジＢｒｄが０．１４９ｍｍでＢｒｄ／Ｐｖｄの値が０．２１になって０．１６≦Ｂｒｄ／Ｐｖｄ≦０．２３を満足するようになる。
【００３６】
また、シャドーマスクの周辺部における水平ピッチＰｈｄが１．０５７ｍｍでこのときの周辺部におけるスロット幅Ｓｗｄは０．２４５ｍｍであって、したがって０．２２１３×Ｐｈ≦Ｓｗｄ≦０．２４５９×Ｐｈの範囲に属するようになる。
すなわち、０．２３４ｍｍ≦Ｓｗｄ≦０．２６０ｍｍを満足するようになる。
また、中央部のスロット幅Ｓｗｃは、０．１７６ｍｍであって、周辺部のスロット幅Ｓｗｄは０．２４５ｍｍであってＳｗｄ／Ｓｗｃは１．４になって１．３≦Ｓｗｄ／Ｓｗｃ≦１．５の条件が満足される。
【００３７】
【発明の効果】
本発明による陰極線管は、中央部と周辺部の透過率分布を改善して中央部対比周辺部の透過率の比率を高めることによって周辺部の輝度を高めて輝度バランスを改善してスクリーンの品位を高めることができる長所がある。
また、本発明による陰極線管は、ティントやダークティントのような高品位パネルを用いることによって、コントラスト特性を向上させることができる長所がある。
【図面の簡単な説明】
【図１】従来の平面形カラー陰極線管の構成を説明する図面である。
【図２】シャドーマスクの構造を説明する図面である。
【図３】本発明による陰極線管を説明するためのシャドーマスクのスロットの拡大図である。
【図４】本発明による陰極線管を説明するためのシャドーマスクのスロットを通過した電子ビームを示した図面である。
【符号の説明】
１…パネル
２…ファンネル
３…マスクフレーム
４…蛍光体面
５…偏向ヨーク
６…電子ビーム
７…シャドーマスク
８…スプリング
９…インナーシールド
１０…コンバージェンス純度補正用マグネット
１１…補強バンド
１２…スタッドピン
１３…電子銃
３１…有効面部
３２…非有効面部
３３…マスクスカート
３４…スロット
【図１】
2004031309.tif 000009
【図２】
2004031309.tif 000010
【図３】
2004031309.tif 000011
【図４】
2004031309.tif 000012